(57)【特許請求の範囲】
【請求項１】
左右の縦枠材の上部及び下部における対向面に上下の横枠材の長手方向端面を突き当てた状態で前記左右の縦枠材と上下の横枠材を接続し、前記上側の横枠材の上端部及び前記下側の横枠材の下端部にそれらの横枠材の上端面及び横枠材の下端面をそれぞれ被覆するカバー材を嵌装した門扉において、
前記カバー材を前記左右の縦枠材の上端面及び下端面の当該縦枠材の門扉幅方向端部近傍まで延長し、前記左右の縦枠材の門扉幅方向端部に前記カバー材の延長した部分の振動を規制するコーナー部材を固着したことを特徴とする門扉。
【請求項２】
上側の横枠材は上端部の厚み方向両端部に係止縁を有し、
下側の横枠材は下端部の厚み方向両端部に係止縁を有し、
カバー材は、上側の横枠材の上端面又は下側の横枠材の下端面を被覆する被覆部と、その被覆部の幅方向両端部に前記横枠材の係止縁に嵌着される被係止縁とを有して前記被覆部と前記被係止縁とによって下方又は上方及び長手方向に開口する嵌合溝を有するものであり、
コーナー部材は、正面Ｌ字形をなし、その横辺に前記カバー材の嵌合溝の端部に挿入して結合される第１接続部と、縦辺に縦枠材の中空部に挿入して固着される第２接続部と、第１接続部と第２接続部の間の屈曲部に設けられ、前記縦枠材の上下端部と前記カバー材の長手方向端部の間に生じる窪みを埋めるブロック部とを有するものである、
ことを特徴とする請求項１に記載の門扉。
【請求項３】
コーナー部材は、第１接続部をカバー材の嵌合溝に押入して前記カバー材に結合し、第２接続部を縦枠材の門扉幅方向端部において縦枠材に挿入し、縦枠材の狭壁にビスにより固着して取付けられることを特徴とする請求項１又は２に記載の門扉。
【発明の詳細な説明】
【技術分野】
【０００１】
本発明は、周囲の枠体が、左右の縦枠材の上下端部の対向面に上下の横枠材の長手方向端面を突き当てた状態で、縦枠材と横枠材を接続して構成される門扉に関する。
【背景技術】
【０００２】
周囲の枠体が、左右の縦枠材の上下端部の対向面に上下の横枠材の長手方向端面を突き当てた状態で、縦枠材と横枠材を接続して構成される門扉においては、縦枠材が中空である場合は各縦枠材の中空部が上下端部においてそれぞれ上下方向に開口するので、従来、門扉の外観向上及び怪我防止のために、各縦枠材の上下端部に、その中空部の開口を塞ぐコーナーキャップが装着されている。
【特許文献１】特になし
【発明の開示】
【発明が解決しようとする課題】
【０００３】
しかし、枠体を構成する縦枠材及び横枠材は一般的にアルミニウム合金製であるのに対し、コーナーキャップは合成樹脂製である。また、縦枠材の横断面寸法は例示的には３×８ｃｍないし５×１３ｃｍ程度と比較的大きいので、これを被覆するコーナーキャップも同等の大きさを有するほか、コーナーキャップの経年変色と、枠体との色違いが目立つため、門扉の外観を低下させる原因となっている。
【０００４】
また、最近は、門扉の外観装飾性を高めるため、縦枠材に、従来の縦枠材を２本横に接続してなる、２倍幅を有するものが使用されるようになってきたが、このような幅広の縦枠材の上下端部の全面を被覆するような大型のコーナーキャップを装着する場合は、益々、門扉の外観が損なわれることとなる。
【０００５】
本発明は、上記の点に鑑みてなされたものであり、コーナーキャップを不要にし、門扉の特に上下端部の美観が向上される門扉を提供することを目的としている。
【課題を解決するための手段】
【０００６】
本発明は、上記目的を達成するため、上側の横枠材の上端面と下側の横枠材の下端面とに、それらの上端面と下端面の全長を被覆するほか、縦枠材の中空部をも被覆できる長さを有するカバー材を装着することを提案するものである。
【０００７】
しかし、その長いカバー材は、上側の横枠材の上端面と下側の横枠材の下端面に対しては、横枠材の押出形状を工夫することにより、比較的容易に固定することができるが、縦枠材に対しては、その長手方向端面を被覆する形態となるため、固定することが困難である。この困難性を本発明は、次のようにして解決した。
すなわち、本発明は、左右の縦枠材の上部及び下部における対向面に上下の横枠材の長手方向端面を突き当てた状態で前記左右の縦枠材と上下の横枠材を接続し、前記上側の横枠材の上端部及び前記下側の横枠材の下端部にそれらの横枠材の上端面及び下端面をそれぞれ被覆するカバー材を嵌装した門扉において、前記カバー材を前記左右の縦枠材の上端面及び下端面の当該縦枠材の門扉幅方向端部近傍まで延長し、前記左右の縦枠材の門扉幅方向端部に前記カバー材の延長した部分の振動を規制するコーナー部材を固着したことを特徴としている（請求項１）。
【０００８】
本発明の好ましい例では、上側の横枠材は上端部の厚み方向両端部に係止縁を有し、下側の横枠材は下端部の厚み方向両端部に係止縁を有し、カバー材は、上側の横枠材の上端面又は下側の横枠材のか端面を被覆する被覆部と、その被覆部の幅方向両端部に前記横枠材の係止縁に嵌着される被係止縁とを有して前記被覆部と前記被係止縁とによって下方又は上方及び長手方向に開口する嵌合溝を有するものであり、コーナー部材は、正面Ｌ字形をなし、その横辺に前記カバー材の嵌合溝の端部に挿入して結合される第１接続部と、縦辺に縦枠材の中空部に挿入して固着される第２接続部と、第１接続部と第２接続部の間の屈曲部に設けられ、前記縦枠材の上下端部と前記カバー材の長手方向端部の間に生じる窪みを埋めるブロック部とを有するものであることを特徴としている（請求項２）。
【０００９】
コーナー部材は、第１接続部をカバー材の嵌合溝に押入して前記カバー材に結合し、第２接続部を縦枠材の門扉幅方向端部において縦枠材に挿入し、縦枠材の狭壁にビスにより固着して取付けられることが望ましい（請求項３）。
【発明の効果】
【００１０】
請求項１の発明によれば、カバー材は左右の縦枠材の上端面及び下端面の当該縦枠材の門扉幅方向端部近傍まで延長されていて、門扉の上下端部にそのほぼ全長にわたって延びるカバー材が見えるため、門扉の外観が向上する。また、カバー材は上下の横枠材から左右の縦枠材の門扉幅方向端部まで延長されるが、その延長された端部が、コーナー部材により振動を規制されるので、カバー材が振動音を発生することが防止される。
【００１１】
請求項２の発明によれば、コーナー部材の第１接続部を上下のカバー材に挿入して結合し、カバー材の被係止縁を上下の横枠材の係止縁に嵌着するとともに、コーナー部材の第２接続部を縦枠材の中空部に挿入して固着することにより、容易かつ確実にカバー材とコーナー部材とを門扉に装着することができる。
【００１２】
請求項３の発明によれば、カバー材とコーナー部材をビスで接続しないので、特に上側のカバー材の上面にビスが露見されることがなく、美観が向上する。
【発明を実施するための最良の形態】
【００１３】
次に、本発明の実施の形態について図面を用いながら説明する。
図１は本発明に係る門扉の設置状態における正面図、図２は図１の右側の門扉の分解正面図、図３は図１の右側の門扉の右上角部分の拡大図、図４は図３のＡ−Ａ断面図、図５は図３の右側面図、図６は図３のＢ−Ｂ断面図、図７はカバー材を示す図であり、（ａ）は端面図、（ｂ）は底面図である。図８は上側のコーナー部材の一例の展開図、図９は上側のコーナー部材の他の例の展開図、図１０は他の例のコーナー部材を用いた場合の断面図、図１１は戸先側縦枠材に落とし錠が取付けられる場合に用いられる下側のコーナー部材の例を示す展開図、図１２は図３の右側部分の平面図、図１３は図１２のＤ−Ｄ断面図、図１４は図１３のＥ−Ｅ断面図、図１５は図１のＦ−Ｆ断面図、図１６は図１のＧ−Ｇ断面図である。
【００１４】
図１は、左右の門柱１にそれぞれヒンジ１’を用いて門扉２ａ，２ｂが観音開き式に取り付けられた状態を示している。本発明は、両開き門扉、片開き門扉などの開放形式や１枚門扉、複数枚門扉などの門扉の数について何ら限定されない。従って、図１は、単なる一例を示すに過ぎない。本発明は、いずれの門扉にも同様に適用可能である。
【００１５】
［門扉の構成部材］
図１の左右の門扉２ａ，２ｂは、基本的構成においては共通している。すなわち、概略的には、各門扉は、図２に示すように、パネル体３と、左右の縦枠材４ａ，４ｂと、上下の横枠材５ａ，５ｂと、上側の横枠材５ａの上端に装着されるカバー材６ａと、下側の横枠材５ｂの下端面に装着されるカバー材６ｂと、各縦枠材４ａ，４ｂの上下端部の門扉幅方向の外側端部に固着されて、カバー材６ａ，６ｂの端部と縦枠材４ａ，４ｂの上下端部の門扉幅方向外側端部との間に生じる窪み（隙間）を塞ぐコーナー部材７ａ，７ｂとから構成されている。以下に、詳述する。
【００１６】
パネル体３は、上下の桟３ａ，３ｂの間に格子材、有孔又は無孔の板などの実質的なパネル３ｃを結合した、任意のデザインを有するものである。上下の桟３ａ，３ｂのほかに、上下の桟の端部同士を結合する縦桟をも有する矩形の枠の中にパネル３ｃを取り付けたものでも良い。
【００１７】
図１の左側の門扉２ａの戸先側縦枠材４ａと、図１の右側の門扉２ｂの戸先側縦枠材４ａは、同一構造のものを左右対称形に配置してある。また、図１の左側の門扉の吊元側縦枠材４ｂと、図１の右側の門扉２ｂの吊元側縦枠材４ｂは、同一構造のものを左右対称形に配置してある。
【００１８】
吊元側縦枠材４ｂは、図４に示すように、輪郭形状がほぼ長方形の第１、第２の二つの中空材４１、４２を、後述するように、横枠材５ａとともにビスＢ１により接続してなっている。詳述すると、それぞれの中空材４１，４２は、従来の門扉における一つの縦枠材とほぼ同じ大きさである。従って、縦枠材４ｂは、従来の縦枠材のほぼ２倍の幅を有している。門扉２ａ，２ｂの幅方向中央寄りの第１中空材４１は、横断面形状がほぼ長方形に形成され、長方形の二つの長辺に対応する広壁４１ａ，４１ｂの両端部に、長方形の二つの短辺に対応する狭壁４１ｃ，４１ｄを有し、門扉幅方向中央側の狭壁４１ｃ側には、広壁４１ａ，４１ｂをその狭壁４１ｃを越える位置まで門扉幅方向中央側に延長して形成された第１突縁４１ｅを有し、門扉幅方向外側の狭壁４１ｄから門扉幅方向外側に突出する第２突縁４１ｆを有している。第２突縁４１ｆの間隔は、第１突縁４１ｅの間隔よりも僅かに小さく設定されている。
【００１９】
吊元側縦枠材４ｂの幅方向端部側の第２中空材４２は、幅方向一端には第１中空材４１の第１突縁４１ｅと同様の第１の突縁４２ｅを有する。従って、この第１突縁４２ｅは、第１中空材４１の第２突縁４１ｆと雄雌嵌合することができる。
【００２０】
第２中空材４２の門扉幅方向端部側には、先端に狭壁４２ｄを含む先細りとなる台形部４２ｇが形成され、その先端に狭壁４２ｄを底壁とするアリ溝４２ｈが形成されている。
【００２１】
そして、第１中空材４１と第２中空材４２は、第１中空材４１の第２突縁４１ｆに第２中空材４２の第１突縁４２ｅを嵌合し、狭壁４２ｄに形成したビス挿入孔４２ｉ（図５参照）からビスＢ１を挿入し、さらに第２中空材４２の狭壁４２ｃの内側に保持した補強板８及びその狭壁４２ｃに貫通し、第１中空材４１の狭壁４１ｄ及び後述される上横枠材５ａにねじ込んで接続することにより、見掛け上、２倍幅を有する一体の縦枠材４ｂが構成されている。
【００２２】
戸先側縦枠材４ａは、図４の二つの中空材４１、４２の広壁４１ａ，４２ａ同士；４１ｂ，４２ｂ同士を連続させて一体化し、幅方向中間に一枚の狭壁（４１ｃ又はｄ４２ｃ）を備えた構造に形成され、図４の台形部４２ｇ及びアリ溝４２ｈを戸先側に向けて用いられている。
【００２３】
図１及び図２における上側横枠材５ａは、図６に示すように、一つの中空材で構成され、左右の広壁５１ａ，５１ｂと上下の狭壁５２ａ，５２ｂとが接合されて、ほぼ縦長台形状又は長方形状に形成されている。上下の狭壁５２ａ，５２ｂには、ビスホール５３ａ，５３ｂが好ましくは２個ずつ設けられている。広壁５１ａ，５１ｂの上端部は上側の狭壁５２ａよりも僅かに上方に延ばされた後、互いに遠ざかる方向、すなわち、外側に屈曲して張り出され、その張出部に上方に突出し、先端に爪を有する係止縁５４が形成されている。これら一対の係止縁５４は、後述されるカバー材６ａを嵌着するための嵌着部の一例を構成している。また、広壁５１ａ，５１ｂの下端部は下側の狭壁５２ｂよりも下方に延長されて、その延長部と下側の狭壁５２ｂとの間に下方に開口する嵌合溝５５が形成されている。広壁５１ａ，５１ｂの延長下端部には、互いに対向する方向に突出する突縁５６が形成されている。これらの一対の突縁５６は、パネル体３を嵌着するための嵌着部の一例を構成している。
【００２４】
門扉２ａ，２ｂを構成する下側横枠材５ｂは、図６に示された上記上側横枠材５ａと同一形状のものを、上側横枠材５ａと上下対称形となるように配置して用いられている。
【００２５】
パネル体３の上下の桟３ａ，３ｂは、同一形状を有するものを上下対称形に配置して、パネル材３ｃに結合されている。上側の桟３ａは、図６に示すように、帯状の桟本体３１の上面の幅方向両側に、上方に突出する突縁３２を設けてなるものであり、その突縁３２は上側横枠材５ａの下端部の突縁５６の間に緊密に嵌合することができる間隔をもって形成されている。
【００２６】
カバー材６ａは、図６及び図７（ａ）に示すように、縦枠材及び横枠材の上面の幅とほぼ等しい幅を有する被覆部６１と、その被覆部の幅方向両端部から下方に平行に延びる側壁６２とを有し、その側壁の内面の下部にその側壁から内側上方に屈曲又は湾曲された被係止縁６３が形成されている。被覆部６１と側壁６２と一対の被係止縁６３との間に下方又は上方に開口する嵌合溝６４が形成されている。被係止縁６３の間隔は、横枠材５ａの両側の係止縁５４の間隔と等しく設定されている。また、カバー材６ａの被係止縁６３には、図７（ｂ）に示すように、カバー材６ａの長手方向両端部から所定距離ｄの位置において被係止縁６３を切除して、切欠６５が形成されている。所定距離ｄ１は、後述されるコーナー部材７ａのブロック７３の背面から突起７１ａまでの距離ｄと等しく設定されていて、その切欠６５には、突起７１ａの嵌合が可能である。また、カバー材６ａは、後述されるように、横枠材５ａと両側の縦枠材４ａ，４ｂとを接続した状態における両側の縦枠材の上面の台形部４２ｇの底部（広壁４２ａ，４２ｂの先端）間距離と等しい長さを有している。
【００２７】
門扉２の上側の隅角部に装着されるコーナー部材７ａは、図８（ａ）に示すように、正面から見てほぼＬ字形に形成され、Ｌ字の水平辺に相当する第１接続部７１と、Ｌ字の垂直辺に相当する第２接続部７２と、Ｌ字の屈曲部に位置するブロック部７３とを有している。第１接続部７１には、その上面の先端部の幅方向両側に上方に突出する突起７１ａが設けられ、その突起とブロック部７３との間の幅方向両側に横枠材５ａの係止縁５４と同一断面形状及び同一間隔を有する爪付きの突縁７１ｂが設けられている。
【００２８】
コーナー部材７ａの第２接続部７２は、図４に示されている第２縦枠材４２の台形部４２ｇに緊密に挿入される形状、一例として断面台形に形成され、中央にビスをねじ込まれる孔７２ａ及びそのねじ込まれたビスの保持力を高めるためのボス７２ｂが形成されている。
【００２９】
コーナー部材７ａのブロック部７３は、縦枠材の端部の台形部４２ｇ及びアリ溝４２ｈの平面形状と同じ平面形状を有するとともに、後記カバー材６ａの高さと同じ高さを有し、さらに、好ましくは、装飾性の統一のため、カバー材６ａの上面及び側面と同じ外観、例えば上面がカバー材と同じ曲面を有している。
【００３０】
本発明に係る門扉２には、門扉の上側２カ所の隅角度にコーナー部材７ａが装着されるが、いずれも同一のものを左右対称形に配設される。
図７に示された上側のコーナー部材７ａと上側のカバー材６ａとは、第１接続部７１をカバー材６ａの一対の被係止縁６３の間に下方から嵌合し、突起７１ａを切欠６５に嵌合するとともに、突縁７１ｂをカバー材の被係止縁６３に嵌着することにより、結合される。突起７１ａを切欠６５に嵌合することによりコーナー部材７ａがカバー材６ａの長手方向に移動して抜脱することが防止される。
【００３１】
カバー材６ａに対するコーナー部材７ａの結合構造は、上記の例に限らない。コーナー部材７ａの第１接続部７１をカバー材６ａの被覆部６１と被係止縁６３との間に圧入することにより確実に結合することもできる。
【００３２】
図９に、この圧入による結合構造を採用したコーナー部材７ａ´を示す。図７のコーナー部材の構成要素に対応する構成要素に同一の符号を付してある。このコーナー部材７´の第１接続部７１の上面及び側面に先端が複数の薄い突条７１ｃを形成することにより、第１接続部７１を、図１０に示すように、カバー材６ａの中に圧入することができるようにしてある。圧入式のコーナー部材７´を用いる場合は、カバー材６ａの被係止縁６３に図７に示された切欠６４を設ける必要がないことはいうまでもない。
【００３３】
門扉２ｂの戸先側縦枠材４ａと吊元側縦枠材４ｂの下端部に装着されるコーナー部材には、図１１に示されたコーナー部材７ｂが左右対称形に配置して取り付けられる。門扉２ｂの戸先側縦枠材４ａの下端部には、縦枠材４ａの先端近傍に図１に示すように落とし錠の落とし棒Ｒが昇降自在に取付けられる。そのため、図１１に示すように、コーナー部材７ｂは、第１接続部７１に落とし棒Ｒの上下移動を可能にする切欠７１ｄ又は孔が形成されている。図１１において、既述されたコーナー部材７ａ，７ｄの構成要素と対応するものには、同一の符号を付してある。
【００３４】
［門扉の組立］
本発明に係る門扉は、上記構造を有する各構成部材を用いて、次のようにして組立てられる。すなわち、先ず、図２に示すように、パネル３ｃの少なくとも上下に横桟３ａ，３ｂを結合したパネル体３を用意する。次に、上横枠材５ａの長手方向一端部を一方の縦枠材、例えば、吊元側縦枠材４ｂの第１中空材４１の上端面から門扉幅方向中央側の狭壁４１ｃの上端部に形成してある孔４１ｇ（図６参照）とその第１中空材４１の中空部に嵌合する（図６参照）。この場合、孔４１ｇは横枠材５ａの上端部の屈曲壁を除いた残余部分の輪郭形状と同じ形状に形成されていて、横枠材５ａが高い安定性をもって第１中空材４１に嵌合される。嵌合された横枠材５ａの長手方向端面は、第１中空材４１の門扉幅方向端部側の狭壁４１ｄに当接される。そして、第１中空材４１の外側の狭壁４１ｄの突縁４１ｆに第２中空材４２の突縁４２ｅを嵌合し、第２中空材４２の外側の狭壁４２ｄからビスＢ１を挿入し、そのビスを第２中空材４２の内側の狭壁４２ｃに固定した補強板８に貫通し、さらに狭壁４２ｃ，４１ｄを貫通して、横枠材５ａのビスホール５３ａ，５３ｂにねじ込むことにより、門扉２の吊元戸側縦枠材である２倍幅の縦枠材４ｂと上横枠材５ａとをＬ字形に接続する。戸先側縦枠材４ａと上横枠材５ａとも、上述とほぼ同様にしてＬ字形に接続する。これにより、一つの上横枠材５ａと左右の縦枠材４ａ，４ｂとを門型に接続し、その門型の枠の中に、上記パネル体３を嵌合し、そのパネル体の上横桟３ａを図６に示すように、上横枠材５ａの下側の嵌合溝５６に嵌合する。すなわち、横桟３ａの一対の突縁３２を上横枠材５ａの一対の係止縁５６の間に嵌合して、仮固定する。
【００３５】
続いて、門型に組みたてられた枠の開放側に下横枠材５ｂを、上横枠材５ａの縦枠材４ａ，４ｂに対する接続の場合と同じ要領で、接続する。すなわち、下横枠材５ｂを戸先側縦枠材４ａの第１中空材４１の下端部に嵌合し、その下横枠材５ｂの長手方向端面を第１中空材４１の外側狭壁４１ｄに当接し、第２中空材４２の外側からビスＢ１を挿入し、補強板（図示せず）及び第２中空材４２の内側の狭壁４２ｃに貫通し、第１中空材４１の外側狭壁４１ｄ及び下横枠材５ｂのビスホール５３ａ，５３ｂにねじ込むことにより、また、吊元側縦枠材４ｂに対しても、上述したと同じ要領で接続する。以上で、パネル体３の外周に上下の横枠材５ａ，５ｂと左右の縦枠材４ａ，４ｂとが、上下の横枠材５ａ，５ｂの長手方向端面を左右の縦枠材４ａ，４ｂの対向面に当接した状態で接続された門扉が構成される。
【００３６】
次に、上側のカバー材６ａの長手方向端部にコーナー部材７ａを結合する。すなわち、カバー材６ａの長手方向端部に、図１３，１４に示すように、カバー材６ａの被覆部６１と両側の側壁６２との間にコーナー部材７ａの第１接続部７１を嵌合するとともに、第１接続部７１の突起７１ａをカバー材６ａの切欠６５に嵌合し、さらに、図１４に示すように、カバー材６ａの幅方向両側の被係止縁６３をコーナー部材７ａの第１接続部７１の両側の係止縁７１ｂに係合させることにより、カバー材６ａとコーナー部材７ａとを結合する。この時、カバー材６ａの長手方向端面は、コーナー部材７ａのブロック部７３の第１接続部７１側の端面に密着される。
【００３７】
図９に示されたコーナー部材７ａ´の場合は、第１接続部７１を突条７１の作用により上側のカバー材６ａの両端部の嵌合溝６４及び下側のカバー材６ｂの一端部における嵌合溝６４に圧入することにより堅固に結合される。図１１に示されたコーナー部材７ｂの場合は、第１接続部７１を突条７１の作用により下側のカバー材６ｂの他端部における嵌合溝６４に圧入することにより堅固に結合される。
【００３８】
上記のように、両端部にコーナー部材７ａ（又は７ａ´）を取付けた上側のカバー材６ａを、上横枠材５ａの上面に接近し、そのカバー材６ａをその長手方向中央側から端部方向に順次、上横枠材５ａの上面に押圧して、図６に示すように、カバー材６ａの両側の一対の被係止縁６３を横枠材５ａの上端面の両側の一対の係止縁５４に弾性変形及び復元を利用して、雄雌嵌合して固定し、コーナー部材７ａ（又は７ａ´）の第２接続部７２を左右の縦枠材４ａ，４ｂの台形部４２ｇに挿入し、狭壁４２ｈに当接して、その狭壁の外側からビスＢ２をその狭壁４２ｄを貫通して、第２接続部７２の孔７２ａ及びボス７２ｂにねじ込んで、そのコーナー部材７ａ（又は７ａ´）を縦枠材４ｂに固定する。
【００３９】
この時、コーナー部材７ａのブロック部７３は縦枠材４ｂの台形部４２ｇ及びアリ溝４２ｈの上面を被覆する（図１３参照）。また、コーナー部材７ａのブロック部７３は、カバー材６ａの長手方向端面と縦枠材４ａの台形部の上端面及びアリ溝４２ｈの上端面との間の窪みを埋める。従って、門扉の角部の外観が向上されている。
下側の横枠材５ｂ及び門扉下端の両角部に取り付けられたコーナー部材７ｂとの間にも、上下対称形のカバー材６ｂが同じ要領で取り付けられ、戸先縦枠材４ａに取付けられる落とし棒Ｒの上下移動を可能にする。
【００４０】
上記のように、カバー材６ａ，６ｂは上下の横枠材の端部から縦枠材の端部まで延長されているので、従来の広い面積を有するコーナーキャップが不要となり、従って、門扉の上下端部の全長にわたって連続するカバー材が装着され、カバー材の端部と縦枠材の端部との間にコーナー部材が装着されて門扉の角部に窪みを生じさせないので、門扉の外観が非常に簡素になり、斬新な美観を提供する。そして、カバー材は縦枠材の端部まで延長されているが、その端部がコーナー部材により縦枠材に固定されているため、カバー材の端部の振動が防止され、騒音を発生する虞がない。
【００４１】
なお、縦枠材４ａ，４ｂの門扉幅方向端部側の断面形状を図４に示すように台形にしてある理由は、図１５に示すように、門扉２ａを門柱１に支持するためのヒンジ１’の敷地内外方向の幅寸法をできるだけ小さくし、また、図１６に示すように、両開き門扉２ａ，２ｂのいずれか一方の門扉の戸先側縦枠材４ａに取り付けられるチリ隠し部材９を門扉の面から突出させずに取り付けることを可能にするためである。図１５において、１０は門柱１と吊元側縦枠材４ｂとの間の隙間を塞ぐ部材である。
【図面の簡単な説明】
【００４２】
【図１】本発明に係る門扉の設置状態における正面図。
【図２】図１の右側の門扉の分解正面図。
【図３】図２の右側の門扉の右上角部分の拡大図。
【図４】図３のＡ−Ａ断面図。
【図５】図３の側面図。
【図６】図３のＢ−Ｂ断面図。
【図７】カバー材を示す図であり、（ａ）は端面図、（ｂ）は底面図。
【図８】上側のコーナー部材の一例の展開図。
【図９】上側のコーナー部材の他の例の展開図。
【図１０】他の例のコーナー部材を用いた場合の断面図。
【図１１】戸先側縦枠材に落とし錠が取付けられる場合に用いられる下側のコーナー部材の例を示す展開図。
【図１２】図３の右側部分の平面図。
【図１３】図１２のＤ−Ｄ断面図。
【図１４】図１３のＥ−Ｅ断面図。
【図１５】図１のＦ−Ｆ断面図。
【図１６】図１のＧ−Ｇ断面図。
【符号の説明】
【００４３】
１            門柱
２ａ，２ｂ    門扉
３            パネル体
３ａ，３ｂ    横桟
４ａ，４ｂ    縦枠材
４２ｇ        台形部
４２ｈ        アリ溝
５ａ，５ｂ    横枠材
５４          係止縁
６ａ，６ｂ    カバー材
６３          被係止縁
６４          切欠
７ａ，７ｂ    コーナー部材
７１          第１接続部
７１ａ        突起
７１ｂ        係止縁
７２          第２接続部
７３          ブロック部
Ｂ１，Ｂ２    ビス
【図１】
0004947597.tif 000002
【図２】
0004947597.tif 000003
【図３】
0004947597.tif 000004
【図４】
0004947597.tif 000005
【図５】
0004947597.tif 000006
【図６】
0004947597.tif 000007
【図７】
0004947597.tif 000008
【図８】
0004947597.tif 000009
【図９】
0004947597.tif 000010
【図１０】
0004947597.tif 000011
【図１１】
0004947597.tif 000012
【図１２】
0004947597.tif 000013
【図１３】
0004947597.tif 000014
【図１４】
0004947597.tif 000015
【図１５】
0004947597.tif 000016
【図１６】
0004947597.tif 000017